(57)【要約】      （修正有）【課題】作業現場又はその付近で容易に使用することができる小型で使い勝手のよい浄水機を提供する。【解決手段】被処理水を処理するための処理タンク１２と、処理タンク内に配置され、被処理水を攪拌するための攪拌装置１４と、下部に汚泥脱水箱が設けられ、処理タンクを支持するための支持台１６とを備え、処理タンクが、円筒形の上部分１２ａと、逆円錐形、逆角錐形又は漏斗形の下部分１２ｂとを有し、下部分が支持台内に収納されるように処理タンクが支持台によって支持されることを特徴とする浄水機１０。【選択図】図１
0003187868.tif 000002
【実用新案登録請求の範囲】
【請求項１】
被処理水を処理するための処理タンクと、
前記処理タンク内に配置され、被処理水を攪拌するための攪拌装置と、
下部に汚泥脱水箱が設けられ、前記処理タンクを支持するための支持台とを備え、
前記処理タンクが、円筒形の上部分と、逆円錐形、逆角錐形又は漏斗形の下部分とを有し、前記下部分が支持台内に収納されるように前記処理タンクが前記支持台によって支持されることを特徴とする浄水機。
【請求項２】
前記攪拌装置が、前記処理タンクの前記下部分に配置され、下面に複数の孔が設けられたリング状管と、前記リング状管に連結され、複数の孔が設けられた圧縮空気供給管とを有し、前記圧縮空気供給管及び前記リング状管に圧縮空気を供給して前記孔から噴射させることによって被処理水を攪拌するように構成されていることを特徴とする請求項１に記載された浄水機。
【請求項３】
前記攪拌装置が、水中ミキサー、モータ付きプロペラ又は手動式プロペラのいずれかであることを特徴とする請求項１に記載された浄水機。
【考案の詳細な説明】
【技術分野】
【０００１】
本考案は一般に、浄水機に関する。より詳細には、本考案は、小型で使い勝手のよい浄水機に関する。
【背景技術】
【０００２】
東京電力福島第１原子力発電所の被災に伴い放射性物質が拡散したため、周辺地域で大規模な除染作業が行われている。このような除染作業を実施すると、放射性物質を含んだ大量の汚染水が発生するため、汚染水の効率的な処理が喫緊の課題となっている。
【０００３】
一方、本考案者は、従来より水処理装置の開発に鋭意取り組み、種々の新規な水処理装置を提案している（例えば、特許文献１及び２参照）。
【先行技術文献】
【特許文献】
【０００４】
【特許文献１】特許第４９１３０１０号公報
【特許文献２】特開２０１１−０２５１８８号公報
【考案の概要】
【考案が解決しようとする課題】
【０００５】
除染作業で発生した汚染水の処理に伴う特性として、汚染水は、作業現場又はその付近で処理しなければならないため、大型の処理装置を使用した作業は実施しにくいという課題がある。
【０００６】
本考案は、このような状況に鑑みて開発されたものであって、作業現場又はその付近で容易に使用することができる小型で使い勝手のよい浄水機を提供することを目的としている。
【課題を解決するための手段】
【０００７】
本願請求項１に記載の浄水機は、被処理水を処理するための処理タンクと、前記処理タンク内に配置され、被処理水を攪拌するための攪拌装置と、下部に汚泥脱水箱が設けられ、前記処理タンクを支持するための支持台とを備え、前記処理タンクが、円筒形の上部分と、逆円錐形、逆角錐形又は漏斗形の下部分とを有し、前記下部分が支持台内に収納されるように前記処理タンクが前記支持台によって支持されることを特徴とするものである。
【０００８】
本願請求項２に記載の浄水機は、前記請求項１の浄水機において、前記攪拌装置が、前記処理タンクの前記下部分に配置され、下面に複数の孔が設けられたリング状管と、前記リング状管に連結され、複数の孔が設けられた圧縮空気供給管とを有し、前記圧縮空気供給管及び前記リング状管に圧縮空気を供給して前記孔から噴射させることによって被処理水を攪拌するように構成されていることを特徴とするものである。
【０００９】
本願請求項３に記載の浄水機は、前記請求項１の浄水機において、前記攪拌装置が、水中ミキサー、モータ付きプロペラ又は手動式プロペラのいずれかであることを特徴とするものである。
【考案の効果】
【００１０】
本考案の浄水機は、処理タンク１２と支持台１６を分離することができるので、小型化でき、使用、運搬、保管に便利で使い勝手が良い。また、使用者の便宜に応じて、複数の種類の攪拌装置から所望の装置を選択して使用することができる。また、使用方法が簡単であり、熟練の作業者でなくとも、比較的容易に使用することが可能である。
【００１１】
本考案の浄水機を使用して汚染水を処理することにより、除染水の放流等により生ずる二次汚染をなくすることができるとともに、作業員が放射性物質に接する時間を極力減少させることができ、良好な除染効率を得ることができる。
【図面の簡単な説明】
【００１２】
【図１】本考案の好ましい実施の形態に係る浄水機を示した斜視図である。
【図２】図１の浄水機の分解斜視図である。
【図３】図３（ａ）は、図１の浄水機の断面図、図３（ｂ）は、処理タンクの下部分の変形形態を示した斜視図である。
【図４】図１の浄水機の攪拌装置の変形形態を示した断面図である。
【図５】図１の浄水機の作動を説明するための一連の図である。
【考案を実施するための形態】
【００１３】
次に図面を参照して、本考案の好ましい実施の形態に係る浄水機について詳細に説明する。図１は、本考案の好ましい実施の形態に係る浄水機を示した斜視図、図２は、図１の浄水機の分解斜視図である。図１において全体として参照符号１０で示される本考案の好ましい実施の形態に係る浄水機は、処理タンク１２を備えている。
【００１４】
処理タンク１２は、図１に示されるように、円筒形の上部分１２ａと、逆円錐形の下部分１２ｂとを有している。円筒形の上部分１２ａの開放した頂部には、蓋１２ａ１が被せられている。また、上部分１２ａの上部の側面には、処理しようとする汚染水（被処理水）を投入するための被処理水投入口１２ａ２及び被処理水投入口１２ａ２のための開閉弁１２ａ３が設けられており、上部分１２ａの下部の側面には、浄化した水を排出するための浄化水排出口１２ａ４及び浄化水排出口１２ａ４のための開閉弁１２ａ５が設けられている。一方、逆円錐形の下部分１２ｂの下端には、汚泥排出口１２ｂ１及び汚泥排出口１２ｂ１を開閉するための開閉弁１２ｂ２が設けられている。なお、図面では、下部分１２ｂが逆円錐形として示されているが、下部分１２ｂを逆角錐形又は他の漏斗形の形状に形作ってもよい。ここで、「漏斗形」とは、上部よりも下部の平面形が小さい形状を意味し、例えば、図３（ｂ）に示されるように、円筒形の下部に楕円板を設置したような形状も包含するものとする。
【００１５】
浄水機１０はまた、処理タンク１２の内部に配置され、処理タンク１２に投入された被処理水を攪拌するための攪拌装置１４を備えている。攪拌装置１４は、リング状に形作られた管１４ａを有し、管１４ａの下面には、等距離間隔を隔てて複数の孔１４ｂが設けられている。管１４ａには、複数の孔１４ｃ１が設けられた圧縮空気供給管１４ｃが連結されており、圧縮空気源（図示せず）から圧縮空気供給管１４ｃを介して管１４ａに圧縮空気を供給することにより、孔１４ｂ及び孔１４ｃ１から圧縮空気が噴出されるようになっている。
【００１６】
好ましくは、攪拌装置１４のリング状の管１４ａの径は、上部分１２ａの径よりも小さくなるように形成されており、管１４ａは、適当な締結具（ボルト等）等を用いて、下部分１２ｂの上部に配置されるようになっている。
【００１７】
また、好ましくは、上部分１２ａの側面には、処理タンク１２の内部を観察するためのガラス窓１２ａ６が設けられている。
【００１８】
浄水機１０はさらに、処理タンク１２を支持するための支持台１６を備えている。支持台１６は、全体として直方体の箱形の形状を有しており、上部にタンク支持部１６ａが設けられ、下部に汚泥脱水箱１６ｂが設けられており、下部分１２ｂが支持台内に収納されるように処理タンク１２が支持台１６によって支持される。
【００１９】
好ましくは、タンク支持部１６ａの上面には、処理タンク１２の下部分１２ｂを嵌め込むための開口１６ａ１が設けられている。また、汚泥脱水箱１６ｂには、汚泥排出口１６ｂ１及び汚泥排出口１６ｂ１のための開閉弁１６ｂ２が設けられている。
【００２０】
次に主として図５を参照して、浄水機１０の使用について説明する。まず最初に、被処理水を被処理水投入口１２ａ２から処理タンク１２内に供給するとともに、蓋１２ａ１を開けて所定の凝集材を投入する（図５（ａ））。次いで、圧縮空気源から圧縮空気供給管１４ｃ及び管１４ａに圧縮空気を供給する。すると、孔１４ｃ１、１４ｂから処理タンク１２ａ内の被処理水に圧縮空気が噴射され、これにより被処理水が攪拌される（図５（ｂ）。この攪拌工程は、１分〜５分程度継続するのが好ましい。次いで、圧縮空気の噴射を停止し、１分〜５分程度静置する（図５（ｃ））。この静置工程により、被処理水中の汚泥が処理タンク１２の下部に徐々に沈降する。
【００２１】
しかる後、被処理水の上澄み水（浄化水）を浄化水排出口１２ａ４を通して処理タンク１２から排出して、他の用途等に供する（図５（ｄ））。最後に、汚泥を汚泥排出口１２ｂ１から汚泥袋等に回収する（図５（ｅ））。その際、汚泥袋を支持台１６のタンク支持部１６ａの適所に引っ掛け、汚泥が汚泥排出口１２から汚泥袋内に排出されるようにすると作業が容易である。なお、沈降した汚泥は、自然脱水させてから袋に入れるのが好ましい。脱水した汚泥は、袋ごと処分される。なお、汚泥袋は、複数回の使用が可能である。
【００２２】
なお、被処理水投入口１２ａ２、浄化水排出口１２ａ４、汚泥排出口１６ｂ１及びそれらに付属する開閉弁は、作業性及び装置固定の利便性を考慮して、図示されるように、同じ側に（平面視でほぼ同一線上に位置するように）設けるのが好ましい。
【００２３】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２４】
例えば、前記実施の形態では、被処理水の攪拌に、圧縮空気が用いられているが、被処理水を機械的な装置を用いて攪拌してもよい。図４には、機械的な攪拌装置の例が示されている。すなわち、図４（ａ）には水中ミキサー１８、図４（ｂ）にはモータ付きプロペラ２０、図４（ｃ）には手動式プロペラ２２が攪拌装置として示されている。これらの攪拌装置を使用しても、攪拌装置１４と同等の効果を得ることができる。
【００２５】
また、図示した浄水機の形状、寸法等は、単なる例示的なものにすぎず、本考案の原理に適合するものであれば、他の形状、寸法等を採用してもよい。
【符号の説明】
【００２６】
１０  浄水機
１２  処理タンク
１２ａ  上部分
１２ａ１  蓋
１２ａ２  被処理水投入口
１２ａ３  開閉弁
１２ａ４  浄化水排出口
１２ａ５  開閉弁
１２ａ６  ガラス窓
１２ｂ  下部分
１２ｂ１  汚泥排出口
１２ｂ２  開閉弁
１４  攪拌装置
１４ａ  リング状の管
１４ｂ  孔
１４ｃ  圧縮空気供給管
１４ｃ１  孔
１６  支持台
１６ａ  タンク支持部
１６ａ１  開口
１６ｂ  汚泥脱水箱
１６ｂ１  汚泥排出口
１６ｂ２  開閉弁
１８  攪拌装置（水中ミキサー）
２０  攪拌装置（モータ付きプロペラ）
２２  攪拌装置（手動式プロペラ）
【図１】
0003187868.tif 000003
【図２】
0003187868.tif 000004
【図３】
0003187868.tif 000005
【図４】
0003187868.tif 000006
【図５】
0003187868.tif 000007